(57)【特許請求の範囲】
【請求項１】
洗面台横に設けられる洗面台用エンドパネルであって、洗面台のカウンター面より高い立板部と、立板部の上端および下端から側方に延設された一対の幅板部とを有しており、立板部が洗面台の側面に当接して正面視略コ字状に形成され、立板部と幅板部で囲まれた前面開放のエンドパネル内側空間内にはタオル掛けが備えられ、このタオル掛けは、前記立板部に取り付けられ、前記エンドパネル内側空間から引出し可能となっていることを特徴とする洗面台用エンドパネル。
【請求項２】
請求項１記載の洗面台用エンドパネルを備えたことを特徴とする洗面台。
【発明の詳細な説明】
【技術分野】
【０００１】
本願発明は、洗面台の横に設置されて水跳ねを防止する洗面台用エンドパネルおよびそれを備えた洗面台に関するものである。
【背景技術】
【０００２】
たとえば図６に例示したように、従来、洗面台１において、そのカウンター１１に設けられた洗面ボール１２からの水跳ねや、手、顔洗い時の水跳ねを防止するために、エンドパネル３を洗面台１や洗面台１横の壁２に取り付けることがしばしば行われている（たとえば特許文献１参照）。
【０００３】
またそれとは別に、たとえば図７に例示したように、タオル４を掛けるために、タオル掛け５を洗面台１に取り付けることもしばしば行われている。タオル掛け５は洗面台１横の壁２に取り付けることもある。
【特許文献１】特開平４−５８１８９号公報
【発明の開示】
【発明が解決しようとする課題】
【０００４】
しかしながら、これらエンドパネル３やタオル掛け５はそれぞれ別部材であり、単独の部品として設置されることが多く、そのため、洗面台１において納まりが悪いと、外観を損ねるといった問題があった。
【０００５】
そこで、以上のとおりの事情に鑑み、本願発明は、エンドパネルの付加機能としてタオル掛けを備えて、水跳ね防止およびタオル掛けの両方の役割を果たすとともに、洗面台へのスッキリとした納まりを実現することのできる洗面台用エンドパネル、およびそれを備えた洗面台を提供することを課題としている。
【課題を解決するための手段】
【０００６】
本願発明の洗面台用エンドパネルは、上記の課題を解決するものとして、第１には、洗面台横に設けられる洗面台用エンドパネルであって、洗面台のカウンター面より高い立板部と、立板部の上端および下端から側方に延設された一対の幅板部とを有しており、立板部が洗面台の側面に当接して正面視略コ字状に形成され、立板部と幅板部で囲まれた前面開放のエンドパネル内側空間内にはタオル掛けが備えられ、このタオル掛けは、前記立板部に取り付けられ、前記エンドパネル内側空間から引出し可能となっていることを特徴とする。
【０００９】
また、本願発明の洗面台は、第２には、前記洗面台用エンドパネルを備えたことを特徴とする。
【発明の効果】
【００１０】
上記第１〜第２の発明によれば、エンドパネルの付加機能としてタオル掛けを備えて、水跳ね防止およびタオル掛けの両方の役割を果たすとともに、洗面台へのスッキリとした納まりを実現することのできる洗面台用エンドパネル、およびそれを備えた洗面台を提供することができる。
【発明を実施するための最良の形態】
【００１１】
図１および図２は、各々、本願発明の一実施形態を示したものである。
【００１２】
本実施形態における洗面台用のエンドパネル３は、洗面台１のカウンター１１に設けられた洗面ボール１２などからの水跳ねを防ぐことができるように洗面台１のカウンター面つまりカウンター１１の上面よりも十分に高い立板部３１と、立板部３１の上端および下端から同じ側方に延設された水平板状の一対の幅板部３２とを有しており、さらに、立板部３１と幅板部３２で囲まれたエンドパネル３内側空間内にて、立板部３１の内側面つまり洗面台１とは反対側の面に取り付けられたタオル掛け３３を備えている。
【００１３】
この構成を有するエンドパネル３は、幅板部３２の存在により全体が幅厚の形状となっており、その幅厚形状内に形成される空間にてタオル掛け３３を介してタオル４を掛けられるようになっている。エンドパネル３内にタオル掛け用空間を具備しているとも言える。
【００１４】
タオル掛け３３については、使用時にタオル掛け用空間から引き出すことができるようになっており、たとえばレール機構（図示なし）を介して前後方向に摺動自在とされている。
【００１５】
以上のエンドパネル３を洗面台１と壁２との間に設置させることで、立板部３１によって洗面台１から壁２への水跳ねが効果的に防止され、且つ壁２との間に確保されるエンドパネル３内の上記タオル掛け用空間にタオル４を掛けておくことができ、よって、水跳ね防止およびタオル掛けの両方の役割を果たすとともに、洗面台１と壁２の間にスッキリとエンドパネル３とタオル掛け３３を納めることができる。洗面台１全体の外観を損ねることもない。
【００１６】
なお、洗面台１と壁２との間に設置させる場合のエンドパネル３の厚さ寸法については、たとえば図３に例示したように、施工現場における洗面台１と壁２の間口寸法にあわせて、幅板部３２における壁２と接触する側端部をカット（図中斜線部分）するなどして加工調整できる。
【００１７】
この上方の幅板部３２は小物置きのスペースとしても利用でき、エンドパネル３を備えた洗面台１の使い勝手をさらに向上させることができる。
【００１８】
また、たとえば図４に例示したように、エンドパネル３の前面に目隠し用の前板３４を設けても良い。この前板３４は、タオル掛け３３と一緒に前後摺動するように設けておくことで、扉としての役割を果たし、タオル掛け３３に掛けられたタオル４を隠してエンドパネル３自体の見栄えを向上させ、さらにはこのエンドパネル３を横に備えた洗面台１全体の外観をも向上させることができる。
【００１９】
ところで、たとえば図８に例示したように、従来、洗面台１を壁２との隙間なく設置しようとすることがあるが、壁２にドア６が設けられていると、洗面台１から引き出された引出し１３がドア６に当たってしまい、引出し１３を全開できないという問題が生じることがあった。
【００２０】
しかし、図５に例示したように、本願発明のエンドパネル３を設置することで、タオル掛け３３を納めるために幅板部３２により確保した幅厚形状により、その幅寸法分洗面台１が壁２から離れるので、引出し１３とドア６の接触の問題を解消して、引出し１３を全開できるようになる。
【図面の簡単な説明】
【００２１】
【図１】本願発明の一実施形態を示した斜視図。
【図２】本願発明の別の一実施形態を示した斜視図。
【図３】本願発明について説明するための斜視図。
【図４】本願発明のさらに別の一実施形態を示した斜視図。
【図５】本願発明について説明するための平面図。
【図６】従来例を示した正面図。
【図７】別の従来例を示した正面図。
【図８】従来例について説明するための平面図。
【符号の説明】
【００２２】
１  洗面台
１１  カウンター
１２  洗面ボール
１３  引出し
２  壁
３  エンドパネル
３１  立板部
３２  幅板部
３３  タオル掛け
３４  前板
４  タオル
５  タオル掛け
６  ドア
【図１】
0004725789.tif 000002
【図２】
0004725789.tif 000003
【図３】
0004725789.tif 000004
【図４】
0004725789.tif 000005
【図５】
0004725789.tif 000006
【図６】
0004725789.tif 000007
【図７】
0004725789.tif 000008
【図８】
0004725789.tif 000009